(57)【要約】【課題】インターネット上にサーバを設置することなく、また携帯電話回線を用いることなく携帯電話やスマートフォンによる操作が可能な表示装置を提供する。また、表示装置の操作を行う携帯電話・スマートフォン・ＰＣに対してウェブ情報の発信が可能な表示装置を提供する。【解決手段】表示装置の内部にウェブサーバを備え、表示装置に接続した端末装置により、このウェブサーバを通じて表示装置の表示内容や表示動作に関する設定操作を行う。また、表示装置に接続可能な端末装置によって予め作成したウェブページに関するデータを表示装置に記憶し、表示装置にアクセスする端末装置に対してウェブページを提供する。【選択図】図１
2015049271.tif 000002
【特許請求の範囲】
【請求項１】
複数配列した表示素子を選択的に表示駆動することで文字や画像等の表示データを表示する表示装置において、
表示装置の周囲に存在する端末装置と表示装置との接続を可能にする接続通信装置と、
インターネット網を介して不特定多数の端末装置と表示装置との接続を可能にするインターネット接続部と、
前記接続通信装置または前記インターネット接続部を介して表示装置と接続した端末装置との間で所定プロトコルによる通信を行うウェブサーバと、
表示装置に接続した端末装置からの操作を受けて、前記ウェブサーバを通じて表示装置の表示機能に関する設定操作を行う表示装置設定手段と、
予め端末装置で作成したウェブページに関するデータを記憶するウェブページデータ記憶手段とを備え、
前記接続通信装置または前記インターネット接続部を介して表示装置に接続した端末装置により、表示装置に表示する表示データの作成や変更、及び表示データを表示させる為のスケジュールの設定を可能にすると共に、表示装置に接続した端末装置に対して前記ウェブサーバによってウェブページを提供することを特徴とする表示装置。
【請求項２】
前記接続通信装置が無線ＬＡＮ通信装置であり、表示装置の周囲に存在する端末装置と表示装置とが無線ＬＡＮ接続し、ＴＣＰ／ＩＰプロトコルを用いたＴＣＰ／ＩＰ通信を行うことを特徴とする請求項１記載の表示装置。
【請求項３】
前記端末装置がＰＣ、スマートフォン、携帯電話等のウェブアクセス可能な通信装置でありウェブページの閲覧が可能なブラウザを有する端末装置であることを特徴とする請求項１または２記載の表示装置。
【発明の詳細な説明】
【技術分野】
【０００１】
本発明は、ＬＥＤ（発光ダイオード）等の表示素子をプリント基板上に複数配列し、各表示素子を選択的に発光させることで文字、図形、記号、画像を表示する表示装置に関する。
【背景技術】
【０００２】
従来、ＬＥＤをプリント基板上に複数配置し、このＬＥＤを選択的に点滅駆動することで文字や画像を発光表示する表示装置が知られている。自発光素子であるＬＥＤを用いたこの表示装置は、店舗や往来、建物の壁面等に設置され、店舗の営業案内や広告宣伝の為のキャッチフレーズを発光表示するのに利用されている。また、近年では、液晶ディスプレイ、プラズマディスプレイ、有機ＥＬ等の表示素子を用いて高解像度ディスプレイを構成し、主に歩行者を対象として近距離で解像度の高いコンテンツを表示するデジタルサイネージの普及が進んでいる。このような高解像度ディスプレイを採用したデジタルサイネージによれば、動画や静止画をテレビに並みの解像度で表示することができる為、商品のコマーシャル映像や店舗の情報、販売促進キャンペーン情報等を店舗の入り口や商品のすぐ近くで表示することにより買い物客等に対して高いコマーシャル効果を期待することが出来る。
【０００３】
普及が進む高解像度デジタルサイネージに対して、従来型の電光式表示装置は、距離をおいた広告対象者への情報伝達効果に優れるという特性を備えており、車で移動している広告対象者や離れた位置にいる歩行者への広告宣伝効果を比較すると、電光式表示装置に対してデジタルサイネージは遠く及ばない。結局、電光式の表示装置と高解像度デジタルサイネージとは、どちらか一方が他の一方に取って代わるという関係にあるのではなく、それぞれが持つ特性を活かした使い分けがされている。
【０００４】
ところで、電光式表示装置に発光表示する内容や、装置の動作に関する設定内容を操作する入力装置として、表示装置の専用に用意されたリモコン入力装置や入力用端末装置、あるいはＰＣ用入力アプリケーションソフトが用意されており、これらに加えて近年では携帯電話機やスマートフォンによる対応も可能になってきている。それまで、表示装置の持つ機能を使いこなす運用を望む表示装置オーナーには入力用端末装置やアプリケーションソフトをインストールしたＰＣが使用され、一方で、文章表示を中心にして手間の掛からない簡単な運用を目指したいと望む表示装置オーナーにはリモコン入力装置が使用されていたのであるが、何れにしても表示装置の為に専用の機器やソフトウェアを用意する必要があった。そこで、もともと所有している携帯電話やスマートフォンを表示装置の入力装置として利用出来るようにするという提案がなされたのである（特許文献１）。特許文献１には、表示装置とデータベースと配信サーバとでシステムを構成し、携帯電話網を介して表示データを配信サーバから表示装置に送信することで表示内容の変更を行えるようにしたシステムが開示されている。
【０００５】
また、特許文献２には、インターネット上に置いたサーバに、表示装置に表示させる文章やイラストを作成する為のプログラムを設け、このサーバに携帯電話網とインターネット経由で携帯電話を接続して表示データを作成し、次に、作成したこの表示データを表示装置で使用できる形式のデータに変換してサーバから携帯電話に送信し、サーバから送られてきた表示データを携帯電話から表示装置に無線通信で送信するようにしたシステムが開示されている。
【先行技術文献】
【特許文献】
【０００６】
【特許文献１】特開２００６−９８８２８号
【特許文献２】特開２００５−２７５２９５号
【発明の概要】
【発明が解決しようとする課題】
【０００７】
しかし、インターネット上に設置したサーバから携帯電話網を介して表示データを表示装置に送信する構成では、システム構成全体が大掛かりとなり、コストが嵩むという問題を抱えていた。
【０００８】
本発明は上記問題を解決する為に、インターネット上にサーバを設置することなく、また携帯電話回線を用いることなく携帯電話やスマートフォンによる操作が可能な表示装置を提供することを目的としている。また、表示装置の操作を行う携帯電話・スマートフォン・ＰＣに対してウェブ情報の発信が可能な表示装置を提供することを目的としている。
【課題を解決するための手段】
【０００９】
（１）上記の目的を達成するために本発明は、複数配列した表示素子を選択的に表示駆動することで文字や画像等の表示データを表示する表示装置において、表示装置の周囲に存在する端末装置と表示装置との接続を可能にする接続通信装置と、インターネット網を介して不特定多数の端末装置と表示装置との接続を可能にするインターネット接続部と、前記接続通信装置または前記インターネット接続部を介して表示装置と接続した端末装置との間で所定プロトコルによる通信を行うウェブサーバと、表示装置に接続した端末装置からの操作を受けて、前記ウェブサーバを通じてウェブページの作成を行うウェブページ作成手段と、前記ウェブページ作成手段で作成したウェブページに関するデータを記憶するウェブページデータ記憶手段と、表示装置に接続した端末装置からの操作を受けて、前記ウェブサーバを通じて表示装置の表示機能に関する設定操作を行う表示装置設定手段とを備え、前記接続通信装置または前記インターネット接続部を介して表示装置に接続した端末装置により、表示装置に表示する表示データの作成や変更、及び表示データを表示させる為のスケジュールの設定を可能にすると共に、表示装置に接続した端末装置に対して前記ウェブサーバによってウェブページを提供することを特徴とする表示装置を提案する。
【００１０】
（２）上記提案の表示装置は、前記接続通信装置が無線ＬＡＮ通信装置であり、表示装置の周囲に存在する端末装置と表示装置とが無線ＬＡＮ接続し、ＴＣＰ／ＩＰプロトコルを用いたＴＣＰ／ＩＰ通信を行うことが望ましい。
【００１１】
（３）また、前記端末装置がＰＣ、スマートフォン、携帯電話等のウェブアクセス可能な通信装置でありウェブページの閲覧が可能なブラウザを有する端末装置であることが望ましい。
【発明の効果】
【００１２】
本発明によれば、表示装置の内部にウェブサーバを備え、表示装置に接続した端末装置によりこのウェブサーバを通じて表示装置の表示内容や表示動作に関する設定操作を行うようにしたので、表示装置に関するデータの入力や設定操作を端末装置によって直接行うことが可能になり、これまでのように、表示装置とは別にインターネット上に表示ソフトを蓄積するデータベースや配信サーバ、あるいは表示ソフトを作成するためのサーバを設置する必要がなくなる。これにより、システム構成が簡素化されコストを大幅に低減することができる。
【００１３】
また、表示装置に接続可能な端末装置によって予め作成された店舗情報に関するウェブページを表示装置の内部に記憶し、この記憶したウェブページを表示装置の外部の端末装置に提供することができる。これにより、表示装置を設置した周囲に対して情報を発光表示するだけでなく、インターネット網を通じてＰＣ、スマートフォン、携帯電話等の端末装置に対してウェブ情報を発信することができ、電光表示を行う物理的な広告媒体としてだけでなく、インターネット上の広告媒体としても活用することができる。しかも、インターネット網に対するウェブページの提供を、ウェブページ提供用のＰＣサーバを必要とすることなく、表示装置のみで実現することができる。
【００１４】
また、表示装置の周囲に存在する端末装置を無線ＬＡＮを介して接続し、ＴＣＰ／ＩＰ通信を行うようにしたので、端末装置を表示装置に容易に接続することができ、ＴＣＰ／ＩＰ通信機能を備えた端末装置を表示装置の入力装置として使用することができる。
【００１５】
また、ウェブページの閲覧が可能なブラウザを有するＰＣ、スマートフォン、携帯電話を表示装置に接続し、ブラウザの機能を利用して表示装置の入力設定操作を容易に行うことができる。
【図面の簡単な説明】
【００１６】
【図１】本発明実施例に係る表示装置の構成を示す説明図である。
【発明を実施するための形態】
【実施例】
【００１７】
以下、本発明の好適な実施形態を図面を参照しながら説明する。図１は本発明実施例に係る表示装置の構成を示す説明図である。１は表示装置であり、以下その構成について説明する。２は表示部で、プリント配線基板上に複数のＬＥＤ（発光ダイオード）をドットマトリクス状に配列して表示画面を構成する。この表示部には複数の文字を表示したり、マトリックス面を使って画像等を表示することが可能で、図示の例では２４×２４ドットのマトリックスで表される全角サイズの文字を横方向に４文字表示可能であり、縦２４ドット×横９６ドットのマトリックスを構成している。３は表示駆動部であり、後述するＣＰＵより表示制御データを受けて表示画面２に配列したＬＥＤをダイナミック点灯駆動し、マトリックス上に文字・図形・記号・画像等を発光表示する。この表示駆動部３は、個々のＬＥＤを３２段階の発光輝度で階調表現することが可能な多階調表示機能を備えている。
【００１８】
４はＣＰＵで、メモリ５で記憶するプログラムやデータに従い表示処理手順をこなす。メモリ５は、表示装置全体の動きに関する動作プログラムが記憶される制御プログラム記憶部５ａと、個別の標準フォントコードが付与され文字や記号がドットデータで記憶される表示用標準フォント記憶部５ｂと、ＰＣ（パソコン）で構成される表示データ編集装置１２−１・１２−２で作成されて個別の外字フォントコードが付与された外字フォントがドット情報とそのドット毎の輝度情報で記憶される外字フォント記憶部５ｃと、表示部２に発光表示する表示データが複数記憶される表示データ記憶部５ｄと、記憶した表示データに表示タイミングの指示を与える表示スケジュール記憶部５ｅと、表示データ編集装置によって予め作成されたウェブページに関するデータが記憶されるウェブページデータ記憶部５ｆとを備えている。このウェブページデータ記憶部５ｆに保存されるデータは、表示装置のオーナーが自身の店舗に関する広告情報をインターネット上に発信するもので、表示データ編集装置によって予め作成した店舗宣伝用のイメージデータがウェブページ用のデータとしてここに記憶される。６はＶＲＡＭで、メモリ５の表示データ記憶部５ｄから読み出した表示データを記憶領域にビット情報として展開し、表示駆動部３に表示制御データを出力する。このＶＲＡＭは、表示部２のドットマトリクス構成に対応しており、全角文字１文字分に相当する２４×２４ドットのマトリックスを基準にして、複数文字分のドットデータを展開可能な記憶領域を備えている。表示データのデータ内容は、標準フォントに対応する標準フォントコード、外字フォントに対応する外字フォントコード、イメージデータに与えられた識別コード等の並びからなるデータ構成であり、表示部２で表示するためには表示画面のＬＥＤ配列に対応したドットパターン情報に変換する必要がある。そこで、表示用標準フォント記憶部５ｂから読み出したドットパターンや外字フォントのドットパターン、イメージデータのドットパターンをＶＲＡＭ６の記憶領域に展開した後、表示制御データとして出力するのである。
【００１９】
７はリアルタイムクロックＩＣであり、ＣＰＵ４から任意のタイミングで要求を受け、年・日付・曜日・時刻といったカレンダー情報を出力する。８はリモコンで、表示部２の近傍に設けられたリモコン受信部８ａ、リモコンインターフェース８ｂを介して通信を行い、リモコン操作に伴って表示部２に表示されるメニューに従い、表示データの簡易的な作成や変更、表示スケジュールデータの設定やその他各種データの設定などを行う。９はＵＳＢメモリで、ＵＳＢインターフェース９ａを介して表示装置に着脱され、表示データ編集装置１２−１で作成した表示データや表示スケジュール、外字フォントデータ、各種データをメモリ５に転送するための記憶媒体として用いられる。１０はインターネット接続部で、信号ケーブル１１とインターネット網を介して表示データ編集装置１２−１に接続し、表示データ編集装置１２−１で作成した表示データや表示スケジュール、外字フォントデータ、各種データをメモリ５へ転送可能にしている。
【００２０】
１３は無線ＬＡＮコンバータ（特許請求の範囲に記載の接続通信装置）であり、インターネット接続部１０に接続して表示装置の外部に延出し、表示装置の周囲に存在する表示データ編集装置１２−２やスマートフォン１４と表示装置１との無線ＬＡＮ通信を可能にしている。１５はウェブサーバであり、無線ＬＡＮコンバータ１３を介して表示装置に接続した端末装置（表示データ編集装置１２−２やスマートフォン１４）は、その端末装置が備えているウェブブラウザを使用してこのウェブサーバ１５とデータの授受を行うことにより、表示装置に対する入力装置として通信を行うことができる。端末装置のウェブブラウザを通じて表示装置へのアクセスがあると、ウェブブラウザからの要求に応じてウェブサーバ１５がＣＧＩプログラム１６を起動し、そのＣＧＩプログラム１６の処理結果を端末装置側へ返すことにより端末装置が表示装置の入力装置として機能するのである。ＣＧＩプログラム１６は表示装置設定用ＣＧＩプログラム（特許請求の範囲に記載の表示装置設定手段）１６−１を含んでおり、前記リモコン８で表示装置の設定操作を行うように、例えばスマートフォン１４を用いて設定操作を行う場合に、この表示装置設定用ＣＧＩプログラム１６−１が起動する。表示装置設定用ＣＧＩプログラム１６−１により実行できる機能は、次の通りである。
＜ウェブブラウザアクセス専用の表示データ作成と登録＞
ウェブブラウザを通じて表示機にアクセスする端末装置専用に設けた表示データの枠であり、本実施例では最大５つの表示データを作成し登録することができる。
＜表示管理情報の設定＞
表示装置の営業時間や休日に関する設定、及び、表示速度、表示輝度、表示コントラスト、カレンダー表示、時計表示の有無といった表示装置の管理項目に関する設定を行う。
＜登録されている表示データ全体に関する設定＞
表示装置に登録されている全ての表示データに関して、各表示データ毎に表示スケジュールの設定を行うことができる。ここで設定が行えるのは、既に登録されている表示データの表示スケジュールに関する内容であり、表示内容そのものを新たに作成したり変更したりすることはできない。ウェブブラウザを通じてアクセスする端末装置では、既に説明したように、専用に設けた５つの表示データのみで新規作成と内容編集が可能である。
＜表示装置のメンテナンス＞
表示装置の日時合わせ、ログインＩＤの変更、パスワードの変更、等のメンテナンスに関する設定を行うことができる。
【００２１】
ところで、表示装置に接続した端末装置から、端末装置のウェブブラウザを通じてウェブページ閲覧の要求が有った場合には、それを受けてウェブサーバ１５がＣＧＩプログラム１６を起動し、ＣＧＩプログラム１６が前記ウェブページデータ記憶部５ｆに記憶している店舗宣伝用のイメージデータを読み出してウェブサーバ１５に渡される。店舗宣伝用イメージデータを受けたウェブサーバ１５はＨＴＭＬファイルを作成し、ウェブページデータとして端末装置のウェブブラウザに送信することでウェブページが公開される。
【００２２】
次に、スマートフォンから表示装置に接続する手順について説明する。表示装置を操作するための入力装置としてスマートフォンを使用する場合、初期設定として「無線ＬＡＮコンバータとの認証」「表示装置との認証」の２段階の認証が必要となる。
＜無線ＬＡＮコンバータとの認証＞
（１）スマートフォンの「設定」メニューにある「Ｗｉ−Ｆｉ」を選択し、Ｗｉ−Ｆｉをオンにする。
（２）上記（１）でＷｉ−Ｆｉをオンにすると、利用可能なネットワークの一覧が表示される為、表示されたネットワークの中から表示装置のネットワークを選択する。
（３）無線ＬＡＮコンバータに設定されているパスワードを入力し、接続を選択する。なお、このパスワード入力は二度目以降の接続では自動認証される為、一度入力すれば以降入力の必要は無い。
（４）上記（２）で選択したネットワーク名に「接続済み」と表示されているのを確認し、無線ＬＡＮコンバータとの接続を終える。
＜表示装置との認証＞
（１）スマートフォンのブラウザを立ち上げて、表示装置に設定されているＩＰアドレスを入力する。
（２）表示装置に設定されているＩＤとパスワードを入力し、ログインのボタンを押す。なお、このＩＤとパスワードの入力は、表示装置との接続が一度確立されると二度目以降の接続では自動認証される為、一度入力すれば以降入力の必要は無い。
（３）ログインにより表示装置のメインメニュー画面が表示されると、表示装置との接続が確立する。
【００２３】
以上のようにしてスマートフォンの認証が確立すると、以降、スマートフォンからＷｉ−Ｆｉ経由で無線ＬＡＮコンバータに接続し、表示装置に設定されているＩＰアドレスを入力することにより、表示装置へのアクセスが可能になり、表示装置の操作が可能になる。なお、ＰＣで構成する表示データ編集装置を無線ＬＡＮコンバータを介して接続する場合には、通常の無線ＬＡＮの環境にあるＰＣと同様にして、ブラウザを通じて表示装置のＩＰアドレスを入力し、表示装置にアクセスすれば良い。
【００２４】
本発明は上記実施例に限定されることなく、その趣旨を逸脱しない範囲で種々の実施が可能である。例えば、上記実施例ではウェブブラウザを通じて表示機にアクセスする端末装置としてスマートフォン、ＰＣ、携帯電話を示しているが、ウェブブラウザを備える端末装置であれば良く、例えばタブレットＰＣを用いることもできる。
【産業上の利用可能性】
【００２５】
本願発明によれば、ウェブアクセス機能を備えた端末装置を、Ｗｉ−Ｆｉを通じて表示装置の操作用入力装置として用いることができる。また、１台の表示装置を、電光表示機能を備えた広告媒体としての機能と、インターネット網にウェブページ情報を発信する広告媒体としての機能という両機能を備えた装置として用いることができる。
【符号の説明】
【００２６】
１  表示装置
２  表示部
３  表示駆動部
４    ＣＰＵ
５    メモリ
５ａ    制御プログラム記憶部
５ｂ    表示用標準フォント記憶部
５ｃ    外字フォント記憶部
５ｄ    表示データ記憶部
５ｅ    表示スケジュール記憶部
５ｆ    ウェブページデータ記憶部
６    ＶＲＡＭ
７    リアルタイムクロック
８    リモコン
９    ＵＳＢメモリ
１０  インターネット接続部
１２−１、１２−２    表示データ編集装置
１３  無線ＬＡＮコンバータ（接続通信装置）
１４  スマートフォン（端末装置）
１５  ウェブサーバ
１６      ＣＧＩプログラム
１６−１  表示装置設定用ＣＧＩプログラム（表示装置設定手段）
【図１】
2015049271.tif 000003